(57)【要約】【課題】照射する光を抑制した照明器具を提供する。【解決手段】光を照射する光源モジュール４１０と、前記光源モジュール４１０からの光を通すための開口部４４２が設けられた固定カバー４４０と、前記固定カバー４４０に固定され前記開口部４４２を覆っている光透過性カバー４７０とを備え、前記光透過性カバー４７０は、前記光源モジュール４１０からの光を透過させる透過部７１と、前記透過部７１の外側に配置され前記光源モジュール４１０からの光を反射する反射部７４とを有する。前記反射部７４は、前記透過部７１の外側から前記光源モジュール４１０に向けて突設されている。【選択図】図２０
2019102161.tif 000002
【特許請求の範囲】
【請求項１】
光を照射する光源モジュールと、
前記光源モジュールからの光を通すための開口部が設けられた固定カバーと、
前記固定カバーに固定され、前記開口部を覆っている光透過性カバーと
を備え、
前記光透過性カバーは、
前記光源モジュールからの光を透過させる透過部と、
前記透過部の外側に配置され、前記光源モジュールからの光を反射する反射部と
を有する光源ユニット。
【請求項２】
前記反射部は、前記透過部の外側から前記光源モジュールに向けて突設されている請求項１に記載の光源ユニット。
【請求項３】
前記光源モジュールは、光源を有し、
前記反射部は、前記開口部より内側で、前記光源の外側に配置された環状壁を有する請求項１又は２に記載の光源ユニット。
【請求項４】
前記透過部は、ドーム形状をしたドーム部であり、
前記反射部は、前記ドーム部の反対側に突設して、ドーム部の外側に配設されている請求項１から３いずれか１項に記載の光源ユニット。
【請求項５】
前記光透過性カバーは、拡散機能を有する拡散カバーである請求項１から４いずれか１項に記載の光源ユニット。
【請求項６】
請求項１から５のいずれか１項に記載の光源ユニットと、
前記光源ユニットに電力を供給する電源ユニットと
を備える照明装置。
【請求項７】
反射部を有する光透過性カバーを製造するカバー製造工程と、
基板を取り付け部材に固定カバーで固定する基板固定工程と、
反射部を基板のある方向に配置して、光透過性カバーを固定カバーに取り付ける取り付け工程と、
反射面を有する枠体を取り付け部材に固定する枠体固定工程と
を備えた光源ユニットの製造方法。
【発明の詳細な説明】
【技術分野】
【０００１】
本発明は、光源ユニット及び照明装置に関するものである。
特に、光源ユニットに用いることが好適な基板固定構造及び基板固定方法に関するものである。
また、光源の粒粒感を抑制するとともに、所定の透過効率及び配光角度を得ることができる光源ユニット及びその製造方法に関するものである。
【背景技術】
【０００２】
従来からＬＥＤ素子及び点灯回路を備える照明装置がある（例えば、特許文献１、２参照）。
【先行技術文献】
【特許文献】
【０００３】
【特許文献１】特開２０１６−２１３１６８号公報
【特許文献２】特開２０１７−０７６４９５号公報
【発明の概要】
【発明が解決しようとする課題】
【０００４】
特許文献１の反射板２４０は、光源基板２１０を放熱体に固定している。しかしながら、反射板２４０は、１つのサイズの基板しか固定することができない。例えば、低電力出力の照明装置なので基板の厚さを薄くすると反射板２４０で固定することができなくなり、放熱体に基板の熱を効率よく伝えることができない。その結果、低電力出力の照明装置にも放熱性能が高い基板（厚さが厚い基板）を使わなくてはならなくなり過剰スペックになってしまった。
【０００５】
また、特許文献２のカバー（光透過性カバー４７０）は板状である。そのため、光源がカバーに粒粒としてあらわれてしまうおそれがある。また、拡散シートを取り付けて拡散させると照明器具から照射する光が所定以上に広がってしまうおそれもある。
【０００６】
本発明の実施の形態では、照射する光を抑制した光源ユニットを提供することを目的とする。
【課題を解決するための手段】
【０００７】
本発明の一態様に係る光源ユニットは、
光を照射する光源モジュールと、
前記光源モジュールからの光を通すための開口部が設けられた固定カバーと、
前記固定カバーに固定され、前記開口部を覆っている光透過性カバーと
を備える。
前記光透過性カバーは、
前記光源モジュールからの光を透過させる透過部と、
前記透過部の外側に配置され、前記光源モジュールからの光を反射する反射部と
を有する。
【発明の効果】
【０００８】
本発明の光源ユニットによれば、光透過性カバーが反射部を備えているので、照射する光を抑制した光源ユニットを提供することができる。
【図面の簡単な説明】
【０００９】
【図１】実施の形態１に係る照明装置の斜視図。
【図２】実施の形態１に係る照明装置の側面図。
【図３】実施の形態１に係る照明装置の平面図。
【図４】実施の形態１に係る照明装置のＡ−Ａ断面図。
【図５】実施の形態１に係る照明装置の分解斜視図。
【図６】実施の形態１に係る照明装置の分解斜視図。
【図７】実施の形態１に係る照明ユニットの斜視図。
【図８】実施の形態１に係る照明ユニットの分解斜視図。
【図９】実施の形態１に係る取り付け補助部材の（ａ）斜視図、（ｂ）別の角度での斜視図。
【図１０】実施の形態１に係る取り付け補助部材の（ａ）平面図、（ｂ）正面図、（ｃ）底面図、（ｄ）Ｂ−Ｂ断面図、（ｅ）Ｃ−Ｃ断面図。
【図１１】実施の形態１に係るバネの（ａ）斜視図、（ｂ）平面図、（ｃ）側面図、（ｄ）背面図。
【図１２】実施の形態１に係る照明ユニットを枠体に取り付ける工程を示す断面図。
【図１３】実施の形態２に係る照明装置の概略断面図。
【図１４】実施の形態２に係る固定カバーの表面側の斜視図。
【図１５】実施の形態２に係る固定カバーの裏面側の斜視図。
【図１６】実施の形態２に係る基板を取り付け部材に取り付けた図。
【図１７】実施の形態２に係る他の例を示す図。
【図１８】実施の形態３に係る光透過性カバーの斜視図。
【図１９】実施の形態３に係る光透過性カバーの断面図。
【図２０】実施の形態３に係る光透過性カバーの組み立て図。
【図２１】実施の形態３に係る他の例を示す図。
【図２２】実施の形態３に係る他の例を示す図。
【図２３】実施の形態３に係る他の例を示す図。
【発明を実施するための形態】
【００１０】
以下、本発明の実施の形態について、図を用いて説明する。なお、各図中、同一又は相当する部分には、同一符号を付している。実施の形態の説明において、同一又は相当する部分については、その説明を適宜省略又は簡略化する。また、実施の形態の説明において、「上」、「下」、「左」、「右」、「前」、「後」、「表」、「裏」といった配置又は向き等は、説明の便宜上、そのように記しているだけであって、装置、器具、部品等の配置又は向き等を限定するものではない。装置、器具、部品等の構成について、その材質、形状、大きさ等は、本発明の範囲内で適宜変更することができる。
【００１１】
実施の形態１．
本実施の形態に係る装置の構成、本実施の形態に係る装置の組み立て手順、本実施の形態の効果を順番に説明する。
【００１２】
＊＊＊構成の説明＊＊＊
図１から図１１を参照して、本実施の形態に係る装置である照明装置９００の構成を説明する。
【００１３】
照明装置９００は、埋め込み穴に埋め込まれて使用される。
【００１４】
図１、図２及び図３に示すように、照明装置９００は、枠体１００と、照明ユニット３００とを備える。枠体１００は、埋め込み穴が設けられた天井等の被取り付け部に取り付けられる。照明ユニット３００は、枠体１００に着脱可能に取り付けられる。
【００１５】
図４、図５及び図６に示すように、枠体１００は、ツバ部１１０と、立ち上がり部１２０と、傾斜部１７０とを備える。ツバ部１１０は、被取り付け部に形成される円形の埋め込み穴の縁部に当接する。立ち上がり部１２０は、ツバ部１１０から略垂直方向に立ち上がる。立ち上がり部１２０には、３つの取り付けバネ２００が取り付けられる。また、立ち上がり部１２０には、第１穴１５０及び第２穴１６０が設けられる。傾斜部１７０は、ツバ部１１０の内側に斜め方向に形成され、略中央部に円形状の開口部１７１を有する。
【００１６】
ツバ部１１０は、リング状に形成されている。具体的には、ツバ部１１０は、被取り付け部に設けられた埋め込み穴の径よりも外径が大きく内径が小さくなるように環状に形成されている。
【００１７】
立ち上がり部１２０は、枠部１３０と、３つの取り付けバネ保持部１４０とを有する。枠部１３０は、円周方向に連続して形成される。取り付けバネ保持部１４０は、枠部１３０の外周の３箇所に形成される。枠部１３０の外周の１箇所には、枠部１３０の内周に貫通する第１穴１５０が形成される。枠部１３０の外周の第１穴１５０に対向する箇所の両側には、枠部１３０の内周に貫通する第２穴１６０が１つずつ形成される。
【００１８】
枠部１３０の中心軸を基準とする円周方向において、３つの取り付けバネ保持部１４０のうち、１つの取り付けバネ保持部１４０が形成される位置を０度の位置としたとき、残りの２つの取り付けバネ保持部１４０が形成される位置は、それぞれ１２０度及び２４０度の位置である。第１穴１５０が形成される位置は、１２０度よりも大きく、２４０度よりも小さい角度の位置であり、望ましくは、１８０度の位置である。２つの第２穴１６０のうち、一方の第２穴１６０が形成される位置は、０度よりも大きく、１２０度よりも小さい角度の位置であり、望ましくは、１０度以上３０度以下の角度の位置である。他方の第２穴１６０が形成される位置は、２４０度よりも大きく、３６０度よりも小さい角度の位置であり、望ましくは、３３０度以上３５０度以下の角度の位置である。２つの第２穴１６０が形成される位置は、０度の位置から同じ角度だけ離れていることが望ましい。
【００１９】
上記のように、取り付けバネ保持部１４０は、等間隔に３つ以上設けられることが望ましい。第１穴１５０は、いずれか２つの取り付けバネ保持部１４０の中間に１つ設けられることが望ましい。第２穴１６０は、第１穴１５０と向き合う位置に１つ、或いは、その位置から両側に少しずれた位置に１つずつ設けられることが望ましい。なお、取り付けバネ保持部１４０、第１穴１５０、第２穴１６０の位置及び個数は、適宜変更することができる。具体的には、取り付けバネ保持部１４０は、取り付けバネ保持部１４０に取り付けられる取り付けバネ２００が、後述する電源端子台５４０と干渉しない２つ以上の位置に設けられていればよい。取り付けバネ保持部１４０は、望ましくは、等間隔に２つ以上設けられる。第１穴１５０は、取り付けバネ保持部１４０の位置と重複しない１つ以上の位置に設けられていればよい。第２穴１６０は、取り付けバネ保持部１４０及び第１穴１５０の位置と重複しない１つ以上の位置に設けられていればよい。第１穴１５０及び第２穴１６０が１つずつ設けられる場合、第１穴１５０は、望ましくは、第２穴１６０と対向する位置に設けられる。第１穴１５０が１つ、第２穴１６０が２つ設けられる場合、第１穴１５０は、望ましくは、２つの第２穴１６０の中間位置と対向する位置に設けられる。
【００２０】
取り付けバネ２００は、長手状かつ平板状の金属板が長手方向の少なくとも１箇所で鋭角に折り曲げられて形成される板バネである。取り付けバネ２００の長手方向の一端は、取り付けバネ保持部１４０に取り付けられる。取り付けバネ２００の長手方向の他端は、被取り付け部の埋め込み穴に引っ掛けられるように屈曲している。この屈曲した部分によって、照明装置９００を被取り付け部に仮止めしたり、照明装置９００の落下を防止したりすることができる。
【００２１】
傾斜部１７０は、椀状又は円錐形グラス状に形成される傾斜面１８０を有する。傾斜面１８０は、後述する光源からの光を反射する反射面になっている。
【００２２】
図４、図５、図６、図７及び図８に示すように、照明ユニット３００は、光源ユニット４００と、電源ユニット５００とを備える。
【００２３】
光源ユニット４００は、光源モジュール４１０と、取り付け部材４２０と、取り付け補助部材４３０と、固定カバー４４０と、バネ４５０と、ネジ４６０と、光透過性カバー４７０と、絶縁シート４８０とを備える。
【００２４】
取り付け部材４２０には、光源モジュール４１０が取り付けられる。取り付け補助部材４３０は、取り付け部材４２０への光源モジュール４１０の取り付けを補助する。固定カバー４４０は、取り付け補助部材４３０を固定するとともに、光源モジュール４１０を取り付け部材４２０に固定する。バネ４５０は、外側に突出するように固定カバー４４０に取り付けられる。ネジ４６０は、固定カバー４４０を取り付け部材４２０に締結する。光透過性カバー４７０は、透明又は半透明である。即ち、光透過性カバー４７０は、透光性を有する。光透過性カバー４７０は、固定カバー４４０に取り付けられ、光源モジュール４１０の発光部を覆う。
【００２５】
光源モジュール４１０は、表面実装型（ＳＭＤ）の複数のＬＥＤ４１１と、これら複数のＬＥＤ４１１が実装される基板４１２とを有する。なお、ＬＥＤ４１１は、表面実装型に限らず、チップオンボード（ＣＯＢ）のＬＥＤ等、他の種類のＬＥＤであってもよい。また、ＬＥＤ４１１に代えて、有機ＥＬ又はレーザといった他の種類の光源が用いられてもよい。
【００２６】
取り付け部材４２０は、板状である。取り付け部材４２０は、光源モジュール４１０が取り付けられる光源取り付け部４２１と、光源取り付け部４２１の外郭に形成される突出部４２２とを有する。なお、光源取り付け部４２１の周囲には、固定カバー４４０を締結するためのネジ穴４２３、取り付け補助部材４３０を取り付けるための１対の穴４２４等が形成される。
【００２７】
取り付け部材４２０は、取り付け面４２５を有する。固定カバー４４０は、取り付け面４２５に取り付けられる。後述するように、固定カバー４４０には、開口部４４２が設けられる。光源モジュール４１０は、固定カバー４４０と取り付け部材４２０との間に挟まれた状態で取り付け面４２５の中心を含む領域に固定され、固定カバー４４０の開口部４４２を通して光を照射する。取り付け補助部材４３０は、取り付け面４２５の光源モジュール４１０が固定された領域に隣接する位置に、光源モジュール４１０の位置決めのために設置される。
【００２８】
図９及び図１０に示すように、取り付け補助部材４３０は、弓状に形成された板材であり、一方の面の両端側に形成される取り付け凸部４３１と、他方の面の略中央に形成される固定凸部４３２とを有する。取り付け補助部材４３０は、取り付け部材４２０に取り付けられ、アーチ状に形成された内側面である案内面４３３に光源モジュール４１０を当接させることで、光源モジュール４１０が取り付け部材４２０の決まった位置に取り付けられるように光源モジュール４１０の取り付けをガイドする。
【００２９】
取り付け補助部材４３０は、さらに、固定凸部４３２が形成される面と同じ面から立ち上がって途中で折り返すように形成される第１凸部４３４を有する。第１凸部４３４は、バネ性を有する。第１凸部４３４は、具体的には、Ｕ字状に形成される弾性部４３５と、弾性部４３５の先端付近に形成され、第１穴１５０に引っ掛けられる係止凸部４３６とを有する。第１凸部４３４は、いわゆるスナップフィットと呼ばれる構造であり、弾性部４３５の弾性力によって係止凸部４３６が第１穴１５０に挿入された状態を保つことで、照明ユニット３００を枠体１００に固定する。
【００３０】
取り付け補助部材４３０の案内面４３３は、取り付け面４２５に対して垂直に延びて光源モジュール４１０の側面の一部に接することで、取り付け面４２５への光源モジュール４１０の取り付けを案内する。これにより、取り付け面４２５における光源モジュール４１０の位置決めが行われる。本実施の形態において、光源モジュール４１０の側面の一部は、外側に膨らんだ形状である。案内面４３３は、この光源モジュール４１０の側面の外側に膨らんだ形状に合わせて内側に凹んでいる。そのため、光源モジュール４１０を取り付け面４２５へ取り付ける作業がスムーズに行える。
【００３１】
取り付け面４２５には、前述した１対の穴４２４が設けられる。取り付け補助部材４３０の１対の取り付け凸部４３１が、これら１対の穴４２４に嵌ることで、取り付け補助部材４３０が取り付け面４２５に固定される。
【００３２】
固定カバー４４０の取り付け面４２５に対向する対向面４４６には、溝４４７が設けられる。取り付け補助部材４３０の固定凸部４３２が、この溝４４７に嵌ることで、取り付け補助部材４３０が対向面４４６に固定される。なお、溝４４７の代わりに、穴が設けられてもよい。
【００３３】
固定カバー４４０の側面には、切り欠き４４８が設けられる。取り付け補助部材４３０は、一部が固定カバー４４０の側面の切り欠き４４８から外側に露出する。取り付け補助部材４３０の第１凸部４３４は、取り付け補助部材４３０の外側に露出した部分に配置される。
【００３４】
固定カバー４４０は、略中央が円形状に開口したカバー本体部４４１と、カバー本体部４４１の開口部４４２の周縁部から立設するように形成される内壁部４４３と、カバー本体部４４１の外周部から立設するように形成される外壁部４４４とを有する。固定カバー４４０は、さらに、外壁部４４４の一部が凹んで形成され、１対のバネ４５０が取り付けられる１対のバネ取り付け部４４５を有する。
【００３５】
固定カバー４４０の対向面４４６と反対側の面には、３つの凸部４４９が設けられる。２つの凸部４４９は、バネ取り付け部４４５の端部を囲み、残りの１つの凸部４４９は、溝４４７の端縁部を囲む。照明ユニット３００が机上等に置かれる際には、これらの凸部４４９が机上面等に接し、光透過性カバー４７０が机上面等に接して傷付くことを防止する。
【００３６】
図１１に示すように、バネ４５０は、長手状かつ平板状の金属板が長手方向の複数箇所で折り曲げられて形成される板バネである。バネ４５０は、コ字状に屈曲させて形成されたコ字状部４５１と、コ字状部４５１の一端付近が切り起こされて斜めに突出するように形成され、バネ取り付け部４４５に嵌る係止部４５２とを有する。バネ４５０は、さらに、コ字状部４５１の他端から延びて長手方向の少なくとも１箇所が屈曲するように形成され、第２穴１６０に引っ掛けられる第２凸部４５３を有する。第２凸部４５３は、弾性力によって一部が第２穴１６０に挿入された状態を保つことで、照明ユニット３００を枠体１００に固定する。
【００３７】
本実施の形態では、取り付け補助部材４３０の第１凸部４３４が立ち上がり部１２０の第１穴１５０に引っ掛かるとともに、バネ４５０の第２凸部４５３が立ち上がり部１２０の第２穴１６０に引っ掛かることで、照明ユニット３００が枠体１００に確実に固定される。なお、第２凸部４５３は、固定カバー４４０に取り付けられるバネ４５０に形成される代わりに、固定カバー４４０の一部として形成されてもよい。即ち、光源ユニット４００は、バネ４５０に限らず、任意の部材の一部として、第２穴１６０に引っ掛かる第２凸部４５３を有していればよい。
【００３８】
光透過性カバー４７０は、透光性を有する樹脂で形成された円形状の板材であり、外周部から一方の面に対して略垂直となるように突出する２つの爪部４７１を有する。光透過性カバー４７０は、開口部４４２の周囲に設けられた穴である固定部４９１に爪部４７１が嵌り込むことで、固定カバー４４０の開口部４４２を覆うように固定カバー４４０に取り付けられる。
【００３９】
絶縁シート４８０は、光源モジュール４１０と取り付け部材４２０との間に配置される。
【００４０】
電源ユニット５００は、電源収納ケース５１０と、電源回路部５２０と、金属プレート５３０と、電源端子台５４０と、ネジ５５０と、放熱フィン５６０とを備える。
【００４１】
電源収納ケース５１０は、取り付け部材４２０に取り付けられる有底の円筒形状のケースである。電源回路部５２０は、電源収納ケース５１０に収納され、光源モジュール４１０に電力を供給する。金属プレート５３０は、電源収納ケース５１０の開口部分を塞ぐように電源収納ケース５１０に取り付けられる。電源端子台５４０は、金属プレート５３０に取り付けられ、電源回路部５２０と電線を介して電気的に接続される。ネジ５５０は、金属プレート５３０を電源収納ケース５１０に締結する。放熱フィン５６０は、電源収納ケース５１０の外周部に取り付けられる。
【００４２】
＊＊＊組み立て手順の説明＊＊＊
本実施の形態に係る装置である照明装置９００の組み立て手順を説明する。
【００４３】
照明ユニット３００は、以下のように組み立てられる。
【００４４】
まず、取り付け部材４２０を電源収納ケース５１０にスポット溶接し、電源収納ケース５１０に電源回路部５２０を挿入する。電源回路部５２０が収納された電源収納ケース５１０の開口部分の周縁部に金属プレート５３０をネジ５５０で締結し、金属プレート５３０に電源端子台５４０を取り付ける。
【００４５】
次に、取り付け部材４２０に取り付け補助部材４３０を取り付け、取り付け補助部材４３０によってガイドされるように取り付け補助部材４３０に光源モジュール４１０を当てて、光源モジュール４１０を取り付け部材４２０の決められた位置に取り付ける。次に、バネ４５０を固定カバー４４０のバネ取り付け部４４５に取り付けた状態で、固定カバー４４０が光源モジュール４１０及び取り付け補助部材４３０に覆いかぶさるように、固定カバー４４０を取り付け部材４２０に取り付ける。固定カバー４４０をネジ４６０で締結し、光透過性カバー４７０を固定カバー４４０に取り付ける。
【００４６】
照明ユニット３００は、以下のように枠体１００に取り付けられる。
【００４７】
図１２に示すように、照明ユニット３００を水平にした状態で、枠体１００の立ち上がり部１２０に挿入していく。このとき、取り付け補助部材４３０の第１凸部４３４が立ち上がり部１２０の第１穴１５０に対して上方に位置し、バネ４５０の第２凸部４５３が立ち上がり部１２０の第２穴１６０に対して上方に位置するようにする。照明ユニット３００を押し下げると、第１凸部４３４及び第２凸部４５３が立ち上がり部１２０の内壁によって押圧され、弾性変形する。照明ユニット３００をさらに押し下げると、第１凸部４３４及び第２凸部４５３がそれぞれ第１穴１５０及び第２穴１６０に到達したところで弾性力を発揮して元の形状に戻り、それぞれ第１穴１５０及び第２穴１６０に嵌る。これにより、照明ユニット３００が枠体１００に固定される。
【００４８】
＊＊＊実施の形態の効果の説明＊＊＊
本実施の形態では、取り付け面４２５の光源モジュール４１０が固定された領域に隣接する位置に、光源モジュール４１０の位置決めのための取り付け補助部材４３０が設置される。このため、本実施の形態によれば、光源ユニット４００を組み立てやすくなる。
【００４９】
本実施の形態では、取り付け補助部材４３０の一部が固定カバー４４０の側面の切り欠き４４８から外側に露出しており、この露出した部分に、照明ユニット３００を枠体１００に固定する機構の少なくとも一部が設けられる。具体的には、取り付け補助部材４３０の外側に露出する部分に、枠体１００の第１穴１５０に引っ掛かる第１凸部４３４が設けられる。このため、本実施の形態によれば、単一の部材である取り付け補助部材４３０によって、取り付け面４２５における光源モジュール４１０の位置決めと、枠体１００への照明ユニット３００の固定との両方を行うことができる。
【００５０】
固定カバー４４０の側面には、取り付け補助部材４３０の外側に露出する部分に合わせて、切り欠き４４８が設けられる。このため、本実施の形態によれば、取り付け補助部材４３０によって、固定カバー４４０の位置決めも行うことができる。
【００５１】
本実施の形態では、スナップフィット構造を採用することによって、照明ユニット３００を枠体１００に対して上方から挿入する際に、第１凸部４３４及び第２凸部４５３をそれぞれ第１穴１５０及び第２穴１６０に略同時に嵌めることができる。このため、照明ユニット３００を枠体１００に取り付ける際の作業性が向上する。
【００５２】
取り付け部材４２０は、固定カバー４４０と別体になっているため、固定カバー４４０の材質と異なる材質とすることができる。具体的には、取り付け部材４２０の材質を弾性のある部材とすることができる。また、取り付け部材４２０をグレー、赤等、固定カバー４４０と異なる色にすることによって、第１凸部４３４を目立たせることができる。
【００５３】
固定カバー４４０は、照明ユニット３００におけるリフレクタの機能を兼ねており、光源モジュール４１０から照射される光、及び、光透過性カバー４７０を透過せずに内部に反射した光を反射させて光透過性カバー４７０の外側に出射させることができる。これにより、光の取り出し効率が高まる。固定カバー４４０の反射率を光源モジュール４１０の基板４１２の反射率以上とすると、特にＬＥＤ４１１が発する光を反射させて光透過性カバー４７０の外側に出射させやすくなるため、光の取り出し効率がより一層高まる。
【００５４】
＊＊＊他の構成＊＊＊
本実施の形態では、第１凸部４３４及び第２凸部４５３がそれぞれ第１穴１５０及び第２穴１６０に引っ掛かることで、照明ユニット３００が枠体１００に固定されるが、第１凸部４３４と第１穴１５０との位置関係、或いは、第２凸部４５３と第２穴１６０との位置関係が逆でもよい。即ち、第１凸部４３４が立ち上がり部１２０に設けられ、第１穴１５０が取り付け補助部材４３０に設けられてもよい。また、第２凸部４５３が立ち上がり部１２０に設けられ、第２穴１６０がバネ４５０又は固定カバー４４０等に設けられてもよい。
【００５５】
実施の形態２．
本実施の形態について、主に実施の形態１との差異を説明する。
本実施の形態では、図１３から図１５を用いて、基板固定構造について説明する。
本実施の形態では、固定カバー４４０の形状が実施の形態１と異なる。
【００５６】
本実施の形態の照明装置９００は、以下に述べる基板固定構造４０を有する光源ユニット４００と、光源ユニット４００に電力を供給する電源ユニット５００とを備える。
【００５７】
図１３は、基板固定構造４０の基本構造図である。
図１３は、固定カバー４４０が第１基板３１と第２基板３２を固定している状態を示している。
図１３の（ａ）は、固定カバー４４０の第１固定部４１が第１基板３１を押えている状態を示している。
図１３の（ｂ）は、固定カバー４４０の第２固定部４２が第２基板３２を押えている状態を示している。
以下、第１基板３１と第２基板３２とを区別する必要がない場合は、単に、基板４１２ということにする。
【００５８】
本実施の形態の基板固定構造４０は、基板４１２と、取り付け部材４２０と、基板４１２を取り付け部材４２０に固定する固定カバー４４０とを備える。
固定カバー４４０は、基板４１２を固定する第１固定部４１と、第１固定部４１が固定する基板とは異なる形状の基板を固定する第２固定部４２とを有する。
第１固定部４１及び第２固定部４２は、固定カバー４４０と一体に形成されている。
【００５９】
第１固定部４１は、第１固定部４１のみで、サイズが小さい第１基板３１を固定する。
第２固定部４２は、第２固定部４２のみで、第１基板３１よりサイズが大きい第２基板３２を固定する。
ここで、サイズが異なるとは、形、面積、及び、長さのいずれかが異なることをいう。
【００６０】
第１基板３１は、例えば、高電力出力の光源に使用する基板であり、アルミニウム材その他の金属材で形成されたものであり、放熱性が高い。
第２基板３２は、例えば、低電力出力の光源に使用する基板であり、樹脂材で形成されており、金属材より放熱性は低い。
また、第１基板３１は第２基板３２より面積が小さく、厚さも厚く形成されている。
なお、仮に第１基板３１と第２基板３２を同じ厚さにしたとしても、第１基板３１はアルミニウム材のため、取り付け部材４２０との間に絶縁シート４８０を設ける必要があり、絶縁シート４８０の分だけ厚さが厚くなる。
【００６１】
第１基板３１と第２基板３２とは、板表面４５と板裏面４６とを有する。
取り付け部材４２０から第１基板３１の板表面４５まで高さＨ１は、取り付け部材４２０から第２基板３２の板表面４５までの高さＨ２より高い。
固定カバー４４０のカバー裏面４８からの第１固定部４１の突出長さＴ１は、固定カバー４４０のカバー裏面４８からの第２固定部４２の突出長さＴ２より小さい。
そして、以下の関係がある。
Ｔ１＋Ｈ１＝Ｔ２＋Ｈ２
【００６２】
図１３の（ａ）に示すように、第１固定部４１は、第２固定部４２よりも高さが低く第２固定部４２よりも内側にあるので、第２基板３２よりもサイズが小さく厚さが厚い第１基板３１を取り付け部材４２０に押圧することができる。
図１３の（ｂ）に示すように、第２固定部４２は、第１固定部４１よりも高さが高く第１固定部４１よりも外側にあるので、第１固定部４１と干渉することなく第２基板３２を取り付け部材４２０に押圧することができる。
【００６３】
図１４は、固定カバー４４０のカバー表面４７の斜視図である。
固定カバー４４０のカバー表面４７の形状は、前述した実施の形態と同じである。
図１５は、固定カバー４４０のカバー裏面４８の斜視図である。
固定カバー４４０のカバー裏面４８には、第１固定部４１と第２固定部４２とが形成されている。
第１固定部４１は、第２固定部４２より内側に配置されている。
【００６４】
第１固定部４１は、第１基板３１の複数個所の縁部３３を取り付け部材４２０に向けて押し付ける複数の第１押圧部４３を有する。
第１基板３１は、厚さが厚く金属製なので、変形、捲れが生じにくい。このため、第１固定部４１は、第１基板３１の外周に近い縁部３３を押さえる必要はなく、第１基板３１の縁部３３の中央に近い部分を押さえている。
第２固定部４２は、第２基板３２の複数個所の縁部３３を取り付け部材４２０に向けて押し付ける複数の第２押圧部４４を有する。
第２基板３２は厚さが薄く樹脂製なので、変形、捲れが生じやすい。このため、第２固定部４２は、第２基板３２の縁部３３の外周に近い部分を押さえている。
図１５では、４個の第１押圧部４３と４個の第２押圧部４４を示している。
４個の第１押圧部４３を結んだ領域は、４個の第２押圧部４４を結んだ領域の内側に存在する。
すなわち、４個の第１押圧部４３を結ぶ１点鎖線の領域は矩形であり、４個の第２押圧部４４を結ぶ２点鎖線の領域は矩形であり、１点鎖線の領域は２点鎖線の領域の内側にある。
【００６５】
第１基板３１のサイズは、１点鎖線の領域よりも大きく、かつ、２点鎖線の領域よりも小さい。
第２基板３２のサイズは、１点鎖線の領域よりも大きく、かつ、２点鎖線の領域よりも大きい。
【００６６】
図１５に示すように、第１押圧部４３と第２押圧部４４は、基板４１２の板表面４５を押すために固定カバー４４０のカバー裏面４８から立設された円柱ポール又は円柱リブである。
第１押圧部４３と第２押圧部４４とは、先端に押圧面５４を有している。
押圧面５４は、基板４１２の板表面４５と平行な平面である。
第１押圧部４３と第２押圧部４４との押圧面５４は、基板４１２の配線がない部分を押圧する。
基板４１２は、第１押圧部４３と第２押圧部４４との先端の押圧面５４のみにより押圧されて固定される。
第１押圧部４３と第２押圧部４４の先端の押圧面５４が平面であるため、基板４１２の押圧中でも第１押圧部４３と第２押圧部４４の先端平面に対して基板４１２の板表面４５がスライドすることができる。このため、基板４１２が熱膨張しても、第１押圧部４３と第２押圧部４４とが破壊されることがない。
開口部４４２の内壁部４４３の傾斜した裏面から第１押圧部４３まで、第１押圧部４３を補強する補強壁４９が形成されている。
基板４１２が屈曲変形した場合であっても、補強壁４９の先端面が基板４１２の配線パターンを押圧しないようにするために、補強壁４９の先端面の高さは、第１押圧部４３の高さよりも低い。
第２押圧部４４の円柱ポールの径は、第１押圧部４３の円柱ポールの径よりも大きい。その理由は、固定カバー４４０の樹脂成形時、固定カバー４４０を金型から取り出す際に第１押圧部４３が破損することを防止するためである。また、変形、捲れが生じやすい第２基板３２を押圧するためである。
【００６７】
図１５に示すように、固定カバー４４０は、ネジ穴４２３の周囲に、取り付け固定面５８とシート固定面５９とを有する。
取り付け固定面５８は、取り付け部材４２０の取り付け面４２５に固定される面である。
シート固定面５９は、絶縁シート４８０を固定する面である。
シート固定面５９は、取り付け固定面５８よりも絶縁シート４８０の厚さ分だけ後退している。
絶縁シート４８０は、取り付け面４２５とシート固定面５９との間で挟持され固定される。
絶縁シート４８０がない場合、取り付け面４２５とシート固定面５９との間は空間になる。
取り付け固定面５８は、シート固定面５９の外側に形成されており、固定カバー４４０の中央に向かって低くなる段差が形成されている。この段差が存在するため、固定カバー４４０をネジ止めした場合に、締め付け力は固定カバー４４０の中央に向かって強く働くことになり、第１押圧部４３と第２押圧部４４とが確実に基板を押圧することができる。
【００６８】
図１５に示すように、固定カバー４４０は、内壁部４４３の先端の開口部４４２に開口面６１と複数のへこみ部６２を有する。
開口面６１は、環状の水平面である。開口面６１と第１基板３１との間には隙間があり、開口面６１は第１基板３１と接触しない。その理由は、開口面６１が第１基板３１と接触していると、第１押圧部４３が第１基板３１を確実に押圧することができなくなる恐れがあるからである。
補強壁４９の先端面の高さは、開口面６１の高さと同じである。
へこみ部６２は、開口面６１に設けられた凹部である。凹部の直下には基板４１２の配線パターンがある。
へこみ部６２は、基板４１２が屈曲変形した場合であっても、開口面６１が基板４１２の配線パターンを押圧しないようにするために設けられている。
図１５に示すように、固定カバー４４０は、外保護壁５６と内保護壁５７を有する。
外保護壁５６と内保護壁５７とは、カバー裏面４８から立設された弧状壁である。
【００６９】
図１６は、取り付け部材４２０から固定カバー４４０を外した状態を示しており、取り付け部材４２０に基板４１２が配置された状態を示している。
図１６では、第１基板３１を実線で示し、第２基板３２を破線で示している。
第１基板３１と第２基板３２とは概略矩形をしており、第１基板３１は、三辺において第２基板３２より内側にあり、残りの一辺（図１６において右側の一辺）は同じ位置にある。
取り付け部材４２０は、配線孔４２８を有する。
【００７０】
配線孔４２８には、孔内壁４２６と孔外壁４２７が存在している。
孔内壁４２６は、取り付け面４２５の中央側にある壁であり、孔外壁４２７は、取り付け面４２５の縁側にある壁である。
孔内壁４２６と孔外壁４２７とは、取り付け面４２５より突出している。
孔内壁４２６と孔外壁４２７との取り付け面４２５からの高さは、配線孔４２８を貫通している電線６００の直径以上かつ基板４１２の厚さ以上である。
孔内壁４２６と孔外壁４２７とは、電線を保護するものである。
孔内壁４２６と孔外壁４２７とは、外保護壁５６と内保護壁５７とに隣接したて位置に配置されている。
外保護壁５６と内保護壁５７とは、孔内壁４２６と孔外壁４２７とを保護するものである。
孔内壁４２６と孔外壁４２７との壁間には１対の隙間があり、外保護壁５６と内保護壁５７との壁間には１対の隙間があり、これらの１対の隙間において配線孔４２８を貫通した電線６００がそれぞれ９０度に折り曲げられて基板４１２の板表面４５に導出され基板４１２の配線回路に結線されている。
【００７１】
以下、図１６により、取り付け部材４２０の取り付け面４２５と平行な方向と垂直な方向とにおける基板４１２の固定について説明する。
【００７２】
＜平行な方向の固定＞
孔内壁４２６は、基板４１２の位置決めに用いられる。
第１基板３１と第２基板３２とは、孔内壁４２６の外面の形状と同じ形状の凹部５１を有する。
凹部５１は、基板の一辺からＶ字又はＵ字にくぼんでいる。
第１基板３１と第２基板３２とは、取り付け補助部材４３０の固定凸部４３２の外面の形状と同じ形状の凹部５２を有する。
凹部５２は、基板の一辺から円弧状又は半円状にくぼんでいる。
凹部５１と凹部５２とは、基板の１８０度方向に形成されている。
凹部５１と凹部５２とは、矩形の基板の対抗する辺の中央に形成されている。
第１基板３１と第２基板３２とは、取り付け補助部材４３０の一対の案内面４３３に接する一対の接触辺５３を有する。
一対の接触辺５３は、凹部５１の両側にある基板の側部である。
【００７３】
以上の構成から、第１基板３１と第２基板３２とは、以下の部分からなる共通の位置決め機構により水平方向の位置が固定される。
１．孔内壁４２６の外面に対する凹部５１の嵌め合わせ
２．固定凸部４３２の外面に対する凹部５２の嵌め合わせ
３．一対の案内面４３３に対する一対の接触辺５３の接触
【００７４】
＜垂直な方向の固定＞
図１６において、固定カバー４４０の第１固定部４１と第２固定部４２との位置を一点鎖線の円で示す。
４個の第１押圧部４３は、第１基板３１を押圧することができる位置に配置されている。
４個の第２押圧部４４は、第２基板３２を押圧することができる位置に配置されている。
４個の第２押圧部４４は、第１基板３１の外側にあり、第１基板３１を押圧することができない位置に配置されている。
取り付け部材４２０には、ネジ穴４２３が形成されている。
固定カバー４４０には、ネジ穴４２３に対応したネジ穴６０があり、取り付け部材４２０と固定カバー４４０とは、ネジ４６０で固定される。
【００７５】
以上の構成から、第１基板３１と第２基板３２とは、以下の構成により垂直方向の位置が固定される。
１．取り付け面４２５と第１押圧部４３の先端とによる挟持、又は、取り付け面４２５と第２押圧部４４の先端とによる挟持
２．取り付け部材４２０に対する固定カバー４４０のネジ止めによる固定
【００７６】
以上のように、基板４１２は、取り付け部材４２０と取り付け補助部材４３０とによりの水平方向への位置決めがされ、取り付け部材４２０と固定カバー４４０とにより垂直方向への位置決めがされる。
また、基板４１２は、孔内壁４２６の外面と固定凸部４３２の外面という共通の位置決め機構により水平方向に位置決めされ、第１固定部４１と第２固定部４２という個別の固定機構により垂直方向に位置決めされる。
【００７７】
＊＊＊基板固定方法の説明＊＊＊
この実施の形態の基板固定構造４０の基板固定方法について説明する。
【００７８】
１．絶縁シート４８０の取り付け工程
まず、照明装置９００の光源ユニット４００が絶縁シート４８０を使用する場合は、絶縁シート４８０を取り付け部材４２０の取り付け面４２５に取り付ける。
【００７９】
２．取り付け補助部材４３０の取り付け工程
次に、取り付け部材４２０に取り付け補助部材４３０を取り付ける。
【００８０】
３．基板４１２の位置決め工程
この基板４１２の位置決め工程では、取り付け部材４２０の取り付け面４２５に基板４１２を取り付け、位置決めする。
具体的には、取り付け補助部材４３０の一対の案内面４３３に対して基板４１２の一対の接触辺５３を接触させながら、取り付け補助部材４３０の固定凸部４３２の外面に対して基板４１２の凹部５２を嵌め合わせる。
同時に、取り付け部材４２０の孔内壁４２６の外面に対して基板４１２の凹部５１を嵌め合わせる。
【００８１】
４．基板４１２の挟持工程
この基板４１２の挟持工程では、固定カバー４４０を取り付け部材４２０の取り付け面４２５にかぶせ、固定カバー４４０の第１固定部４１と第２固定部４２とのいずれかと取り付け面４２５との間に基板４１２を挟持する。
固定カバー４４０には、穴５０があり、取り付け補助部材４３０の固定凸部４３２をこの穴５０に嵌ることで、固定カバー４４０が取り付け部材４２０に位置決めされる。
同時に孔内壁４２６と孔外壁４２７とを外保護壁５６と内保護壁５７に合わせることにより固定カバー４４０が取り付け部材４２０に位置決めされる。
固定カバー４４０を取り付け部材４２０の取り付け面４２５に合わせることにより、取り付け面４２５と第１押圧部４３の先端又は取り付け面４２５と第２押圧部４４の先端とが基板４１２を挟持する。絶縁シート４８０を使用する場合は、絶縁シート４８０と基板４１２とは、取り付け面４２５と第１押圧部４３又は第２押圧部４４の先端とにより挟持される。
【００８２】
５．固定カバー４４０の固定工程
取り付け部材４２０に対して固定カバー４４０をネジ止めして固定する。
【００８３】
＊＊＊実施の形態の効果の説明＊＊＊
本実施の形態では、固定カバー４４０は、第１固定部４１と第２固定部４２とを異なる位置に配置している。このため、固定カバー４４０は、複数のサイズの基板を固定することができる。また、厚さが異なる基板が取り付けられても発光にともなう基板からの熱を効率よく取り付け部材４２０に放熱することができる。
【００８４】
また、樹脂材はアルミニウム材より安く、低電力出力のときに樹脂材を使用した基板を使用することができ、基板のコストを下げることができる。
また、基板のサイズにあわせて固定カバー４４０を複数製造する必要がなく、部品の共通化ができる。
【００８５】
＊＊＊他の構成＊＊＊
図１７は、第１押圧部４３と第２押圧部４４の先端形状に段差を設けた場合を示している。
第１押圧部４３と第２押圧部４４の先端は、側面５５と押圧面５４とを有する。
側面５５は、基板４１２の側面と平行な面であり、基板４１２の側面に接触し、基板４１２を水平方向に位置決めする面である。
押圧面５４は、基板４１２の板表面４５と平行な面であり、基板４１２の板表面４５を押し、基板４１２を固定する面である。
【００８６】
図１７の（ａ）に示すように、第１押圧部４３の段差の高さは、第１基板３１の厚さより小さい。
図１７の（ｂ）に示すように、第２押圧部４４の段差の高さは、第２基板３２の厚さより小さい。
【００８７】
図１７の（ｃ）は、第１押圧部４３と第２押圧部４４の先端形状を１８０度方向に切り欠いた段差を示している。
押圧面５４は、半円形状をしている。
図１７の（ｃ）に示す第１押圧部４３と第２押圧部４４とは、第１基板３１と第２基板３２の直線状の辺部に配置される。
【００８８】
図１７の（ｄ）は、第１押圧部４３と第２押圧部４４の先端形状を９０度方向に切り欠いた段差を示している。
押圧面５４は、扇形状をしている。
図１７の（ｄ）に示す第１押圧部４３と第２押圧部４４とは、第１基板３１と第２基板３２のコーナーに配置される。
【００８９】
図１７の（ｅ）は、第１押圧部４３と第２押圧部４４の先端形状を３６０度方向に切り欠いた段差を示している。
押圧面５４は、リング形状をしている。
図１７の（ｅ）に示す第１押圧部４３と第２押圧部４４とは、第１基板３１と第２基板３２の穴に配置される。すなわち、第１基板３１と第２基板３２に側面５５が形成する円柱の径と同じ径の穴を形成し、その穴に側面５５が形成する円柱を挿入して、環状の押圧面５４により基板４１２の板表面４５を押す。
【００９０】
図１７に示す第１押圧部４３と第２押圧部４４を用いる場合は、第１押圧部４３と第２押圧部４４のみで、基板４１２の垂直方向の固定と水平方向の位置決めができる。
すなわち、図１７に示す場合、基板４１２は、第１押圧部４３と第２押圧部４４という個別の位置決め機構により水平方向に位置決めされ、第１押圧部４３と第２押圧部４４という個別の固定機構により垂直方向に位置決めされる。
【００９１】
図示しないが、基板の厚さが同じで基板のサイズが異なる場合、第１固定部４１の突出長さとの第２固定部４２の突出長さとを同じ長さにしてもよい。サイズが小さい第１基板３１は、第１固定部４１のみで固定し、サイズが大きい第２基板３２は、第１固定部４１と第２固定部４２との両方で固定する。
【００９２】
図示しないが、固定カバー４４０に、さらに第３固定部、第４固定部を設けて、さらにサイズの異なる第３基板、第４基板を固定するようにしてもよい。
【００９３】
図示しないが、第１固定部４１及び第２固定部４２は、固定カバー４４０の開口部４４２の外側に環状に形成してもよいし、円弧状に部分的に複数設けてもよい。
また、押圧面５４の形状は、円形に限らず矩形その他の多角形でもよい。
また、第１固定部４１又は第２固定部４２を固定カバー４４０とは別の部品として製造し、第１固定部４１又は第２固定部４２を固定カバー４４０に接合してもよい。
【００９４】
また、第１固定部４１を形成しないで、開口面６１の高さを第１固定部４１と同じ高さにして、開口面６１で第１基板３１を押圧するようにしてもよい。
【００９５】
実施の形態３．
本実施の形態について、主に実施の形態１との差異を説明する。
本実施の形態では、図１８から図２０を用いて、光透過性カバー４７０について説明する。
本実施の形態では、実施の形態１と光透過性カバー４７０の形状が異なる。
【００９６】
本実施の形態の照明装置９００は、以下に述べる光源ユニット４００と、光源ユニット４００に電力を供給する電源ユニット５００とを備える。
【００９７】
図１８は、光透過性カバー４７０の斜視図である。
図１９は、図１８に示した光透過性カバー４７０のＡＡ断面図である。
図２０は、図１８に示した光透過性カバー４７０の組み立て後のＢＢ断面図である。
図１８と図１９は、光透過性カバー４７０が固定カバー４４０に取り付けられる前の状態を示している。
図２０は、光透過性カバー４７０が固定カバー４４０に取り付けられた後の状態を示している。
なお、図１９及び図２０では、光透過性カバー４７０の断面のハッチングを省略している。
【００９８】
本実施の形態の光源ユニット４００は、光を照射する光源モジュール４１０と、固定カバー４４０と、光透過性カバー４７０とを備える。
光源モジュール４１０は、光源となるＬＥＤ４１１を有する。
固定カバー４４０の中央には、光源モジュール４１０からの光を通すための開口部４４２が設けられている。
光透過性カバー４７０は、拡散機能を有する拡散カバーである。
光透過性カバー４７０は、固定カバー４４０に固定され、開口部４４２を覆っている。
また、固定カバー４４０の内壁部４４３は、鏡面になっており光を反射する。
【００９９】
光透過性カバー４７０は、透過部７１と、反射部７４と、周縁部７３とを有する。
透過部７１は、光源モジュール４１０からの光を透過させる。
透過部７１は、ドーム形状をしたドーム部７２と環状部７８とを有する。
ドーム部７２は、光源モジュール４１０からの光を拡散し出射する曲面部分である。
ドーム部７２は、内曲面７６と外曲面７７とを有する。
環状部７８は、内曲面７６から反射部７４とまで形成された環状のリング部である。
環状部７８は、内曲面７６と外曲面７７との曲面半径が異なるために形成された平面部である。
環状部７８は、ドーム部７２の厚さを確保してドーム部７２の強度を増すために設けられている。
環状部７８の半径方向の長さが小さくなれば、内曲面７６と外曲面７７とが近づきドーム部７２の厚さは薄くなる。
【０１００】
周縁部７３は、透過部７１の周縁から鍔状に形成された環状のリング部である。
周縁部７３は、枠体１００と固定カバー４４０に挟持され光透過性カバー４７０を照明装置９００に固定する部分である。
周縁部７３は、固定カバー４４０に係合する爪部４７１を有する。
周縁部７３は、爪部４７１と類似な機構を有してもよい。
【０１０１】
反射部７４は、透過部７１の外側に配置され光源モジュール４１０からの光を反射する。
反射部７４は、ドーム部７２の反対側に突設しており、ドーム部７２の外側に配設されている。
反射部７４は、光源モジュール４１０からの光のうちドーム部７２の外部に、又は、ドーム部７２の外部に近いところに入射する光を反射するものである。
反射部７４は、開口部４４２より内側で、光源の外側に配置され光を反射する反射壁７５を有する。
反射壁７５は、透過部７１の外側から光源モジュール４１０に向けて突設されている。
反射壁７５は、透過部７１と周縁部７３との境界に筒状に設けられている。
反射壁７５は、周縁部７３の裏面と垂直な環状壁である。
【０１０２】
反射壁７５の長さＬは、以下のようなシミュレーションで最適寸法を算出する。
１．反射壁７５の長さＬをＬＥＤ４１１又は基板４１２に接触する寸法から次第に短くしていく。
２．反射壁７５の長さＬが短くなると、照明装置９００の配光角度は徐々に狭くなっていく。
しかし、反射壁７５の長さＬがさらに短くなると、照明装置９００の配光角度は広がる。
３．反射壁７５の長さＬが照明装置９００の設計値の配光角になるところを反射壁７５の長さＬの最適値として決定する。
【０１０３】
図２０に示すように、固定カバー４４０の開口部４４２の内壁部４４３の内周面と反射部７４の外周面との間にはクリアランス７９がある。
クリアランス７９は、固定カバー４４０の開口部４４２と光透過性カバー４７０との寸法誤差を吸収する空間であり、かつ、光透過性カバー４７０の熱膨張を吸収する空間である。
枠体１００の開口部１７１の径Ｄ１と固定カバー４４０の開口部４４２の径Ｄ２と反射壁７５の径Ｄ３の関係は以下のとおりである。
枠体１００の開口部１７１の径Ｄ１＞固定カバー４４０の開口部４４２の径Ｄ２＞反射壁７５の径Ｄ３
【０１０４】
＊＊＊光路の説明＊＊＊
図２０により、光路について説明する。
図２０の破線は、透過部７１の外側に配置されＬＥＤ４１１からの光の進み方を示している。
破線Ａは、クリアランス７９に入射して開口部４４２の内壁部４４３により反射されて周縁部７３を通過した光の進路である。
破線Ｂは、反射壁７５により反射されてドーム部７２を通過した光の進路である。
反射壁７５がない場合、一点鎖線Ｂ１のように、光はドーム部７２を通過することなく、所定角度以上に広角に照射される。
破線Ｃは、環状部７８の外側を通過し、周縁部７３を通過した光の進路である。
破線Ｄは、環状部７８の内側を通過し、ドーム部７２を通過した光の進路である。
【０１０５】
破線Ｂのように反射壁７５により反射された光はドーム部７２を通過することができる。
破線Ｄのように環状部７８を通過した光の一部はドーム部７２を通過することができる。
【０１０６】
＊＊＊製造方法の説明＊＊＊
この実施の形態の光源ユニット４００の製造方法について説明する。
【０１０７】
１．光透過性カバー４７０のカバー製造工程
まず、反射部７４を有する光透過性カバー４７０を製造する。
反射部７４は、光透過性カバー４７０の裏面の透過部７１の周囲に形成される。
【０１０８】
２．基板４１２の基板固定工程
次に、前述した基板固定方法により、基板４１２を取り付け部材４２０に固定カバー４４０で固定する。
【０１０９】
３．光透過性カバー４７０の取り付け工程
固定カバー４４０に光透過性カバー４７０を取り付ける。
光透過性カバー４７０の裏面を基板４１２のある方向に配置し、光透過性カバー４７０の表面を光を照射する方向に配置する。その結果、反射部７４は、基板４１２のある方向に配置される。
【０１１０】
４．枠体１００の枠体固定工程
反射面を有する枠体１００を取り付け部材４２０に固定する。
枠体１００の傾斜部１７０は、椀状又は円錐形グラス状に形成される傾斜面１８０を有する。傾斜面１８０は、光源からの光を反射する反射面になっている。
【０１１１】
＊＊＊実施の形態の効果の説明＊＊＊
本実施の形態では、反射部７４は、ドーム部７２の外側に入光しようとする光を反射する。
反射部７４がない場合、光はドーム部７２により照射角度が変更され、枠体１００の傾斜面１８０で制御できずに所定角度以上に広角に照明装置から照射されるおそれがある。
また、反射部７４がない場合、枠体１００の傾斜面１８０へ入射する光線が多くなり、所定の照射角度を得られたとしても照明器具としての光束が下がってしまう。
反射部７４が光を反射することで、ドーム部７２の外側への入光を抑制することができ、所定の透過効率及び照射角度にすることができる。
【０１１２】
光透過性カバー４７０は、円弧状のドーム部７２を有しており、光透過性カバー４７０が光源モジュール４１０と距離をとることができる。このため、光透過性カバー４７０にＬＥＤ４１１が投影されるのを抑制することができ、粒粒感を抑制することができる。
【０１１３】
＊＊＊他の構成＊＊＊
図２１に示すように、光透過性カバー４７０が平板形状をしていてもよい。
図２１は、実施の形態１の光透過性カバー４７０に対して、反射部７４を設けた場合を示している。
【０１１４】
図２２に示すように、反射部７４の反射壁７５は、基板４１２に対して直交している壁ではなく、基板４１２に対して傾斜している壁でもよい。
また、図２２に示すように、反射部７４の反射壁７５の先端を、開口部４４２の内壁部４４３に近づけて、クリアランス７９をできるだけなくしてもよい。
反射部７４の反射壁７５の先端が開口部４４２の内壁部４４３に接触していれば、クリアランス７９に入射する光がはなくなりドーム部７２を通過する光線が多くなる。
【０１１５】
図２３に示すように、環状部７８をなくしてもよい。
図２３では、内曲面７６の外周に直接反射部７４の反射壁７５を配置している。
【０１１６】
ドーム部７２と反射部７４とは、同じ材料で形成してもよく、拡散部材で形成してもよい。
また、ドーム部７２と反射部７４とを、異なる拡散率の材料を用いた二色成型により形成してもよい。
また、反射部７４は、白色部材又は鏡面部材等を用いて形成し、反射部７４の反射率を大きくしてもよい。
【０１１７】
また、ドーム部７２の厚さを中心部に対して外側を薄く、もしくは、中心部に対して外側を厚くしてもよい。ドーム部７２の厚さの変更により、直下方向の照度を変更できるとともに、配光を制御することができる。
【０１１８】
また、枠体１００の開口部１７１の径Ｄ１と固定カバー４４０の開口部４４２の径Ｄ２と反射壁７５の径Ｄ３の関係を以下のようにしてもよい。
枠体１００の開口部１７１の径Ｄ１≧固定カバー４４０の開口部４４２の径Ｄ２≧反射壁７５の径Ｄ３
【０１１９】
以上、本発明の実施の形態について説明したが、これらの実施の形態のうち、いくつかを組み合わせて実施しても構わない。或いは、これらの実施の形態のうち、いずれか１つ又はいくつかを部分的に実施しても構わない。具体的には、これらの実施の形態の説明において「部」として説明するもののうち、いずれか１つのみを採用してもよいし、いくつかの任意の組み合わせを採用してもよい。なお、本発明は、これらの実施の形態に限定されるものではなく、必要に応じて種々の変更が可能である。
【符号の説明】
【０１２０】
３１  第１基板、３２  第２基板、３３  縁部、４０  基板固定構造、４１  第１固定部、４２  第２固定部、４３  第１押圧部、４４  第２押圧部、４５  板表面、４６  板裏面、４７  カバー表面、４８  カバー裏面、４９  補強壁、５０  穴、５１  凹部、５２  凹部、５３  接触辺、５４  押圧面、５５  側面、５６  外保護壁、５７  内保護壁、５８  取り付け固定面、５９  シート固定面、６０  ネジ穴、６１  開口面、６２  へこみ部、７１  透過部、７２  ドーム部、７３  周縁部、７４  反射部、７５  反射壁、７６  内曲面、７７  外曲面、７８  環状部、７９  クリアランス、１００  枠体、１１０  ツバ部、１２０  立ち上がり部、１３０  枠部、１４０  取り付けバネ保持部、１５０  第１穴、１６０  第２穴、１７０  傾斜部、１７１  開口部、１８０  傾斜面、２００  取り付けバネ、３００  照明ユニット、４００  光源ユニット、４１０  光源モジュール、４１１  ＬＥＤ、４１２  基板、４２０  取り付け部材、４２１  光源取り付け部、４２２  突出部、４２３  ネジ穴、４２４  穴、４２５  取り付け面、４２６  孔内壁、４２７  孔外壁、４２８  配線孔、４３０  取り付け補助部材、４３１  取り付け凸部、４３２  固定凸部、４３３  案内面、４３４  第１凸部、４３５  弾性部、４３６  係止凸部、４４０  固定カバー、４４１  カバー本体部、４４２  開口部、４４３  内壁部、４４４  外壁部、４４５  バネ取り付け部、４４６  対向面、４４７  溝、４４８  切り欠き、４４９  凸部、４５０  バネ、４５１  コ字状部、４５２  係止部、４５３  第２凸部、４６０  ネジ、４７０  光透過性カバー、４７１  爪部、４８０  絶縁シート、４９１  固定部、５００  電源ユニット、５１０  電源収納ケース、５２０  電源回路部、５３０  金属プレート、５４０  電源端子台、５５０  ネジ、５６０  放熱フィン、６００  電線、９００  照明装置。
【図１】
2019102161.tif 000003
【図２】
2019102161.tif 000004
【図３】
2019102161.tif 000005
【図４】
2019102161.tif 000006
【図５】
2019102161.tif 000007
【図６】
2019102161.tif 000008
【図７】
2019102161.tif 000009
【図８】
2019102161.tif 000010
【図９】
2019102161.tif 000011
【図１０】
2019102161.tif 000012
【図１１】
2019102161.tif 000013
【図１２】
2019102161.tif 000014
【図１３】
2019102161.tif 000015
【図１４】
2019102161.tif 000016
【図１５】
2019102161.tif 000017
【図１６】
2019102161.tif 000018
【図１７】
2019102161.tif 000019
【図１８】
2019102161.tif 000020
【図１９】
2019102161.tif 000021
【図２０】
2019102161.tif 000022
【図２１】
2019102161.tif 000023
【図２２】
2019102161.tif 000024
【図２３】
2019102161.tif 000025